(57)【要約】【課題】ディスクの取り出しをより容易にし、部品点数を削減することができるトレー本体を提供する。【解決手段】トレー本体１は、ディスクが載置される載置部１１と、載置部１１の外周に設けられる第１係合部１２と、載置部１１の中央に設けられる位置決め部１３と、載置部１１の外周に設けられる第２係合部１７と、を備える。そしてトレー本体１は、第１係合部１２と位置決め部１３の間で２つに折り曲げられる。また、第1係合部１２と第２係合部１７は、位置決め部１３を基準に対称をなす位置に設けられ、第１係合部１２は、自本体が折り曲げられた状態でディスクを係合し、位置決め部１３は、ディスクが第１係合部１２に係合された状態で、折り曲げられた状態から折り曲げられていない状態に変形されると、ディスクの孔に挿入され、第２係合部１７は、折り曲げられていない状態で、ディスクを係合して保持する。【選択図】図１
2010132291.tif 000002
【特許請求の範囲】
【請求項１】
２つに折り曲げ可能に構成され、第１状態と、２つに折り曲げられた第２状態との間で、変形可能なトレー本体であって、
ディスクが載置される載置部と、
前記載置部の外周に設けられる第１係合部と、
前記載置部の中央に設けられる位置決め部と、
前記載置部の外周に設けられる第２係合部と、を備え、
自本体は、前記第１係合部と前記位置決め部の間で２つに折り曲げられ、
前記第1係合部と第２係合部は、前記位置決め部を基準に対称をなす位置に設けられ、
前記第１係合部は、前記第２状態でディスクを係合し、
前記位置決め部は、ディスクが前記第１係合部に係合された状態で、前記第２状態から第１状態に変形されると、当該ディスクの孔に挿入され、
前記第２係合部は、前記第１状態で、前記ディスクを係合する、
トレー本体。
【請求項２】
２つに折り曲げ可能に構成され、第１状態と、２つに折り曲げられた第２状態との間で、変形可能なトレー本体であって、
ディスクが載置される載置部と、
前記載置部の外周に設けられる第１係合部と、
前記載置部の中央に設けられる保持部と、を備え、
自本体は、前記第１係合部と前記保持部の間で２つに折り曲げられ、
前記第１係合部は、前記第２状態でディスクを係合し、
前記保持部は、ディスクが前記第１係合部に係合された状態で、前記第２状態から第１状態に変形されると、当該ディスクの孔に挿入され、当該ディスクを保持する、
トレー本体。
【請求項３】
前記第１係合部は、前記載置部の中央方向を向く鉤形状で構成され、
前記第１係合部は前記第２状態で中央方向から挿入されたディスクを係合して保持する、
請求項1又は２に記載のトレー本体。
【請求項４】
前記載置部は、自本体が２つに折り曲げられる位置を基準に、前記第１係合部が設けられる第１載置領域と、前記位置決め部又は前記保持部が設けられる第２載置領域とを有してなり、
前記第1載置領域は、ディスクの記録部が載置される位置に第１突出部が設けられ、ディスクの記録部以外が載置される位置に当該第１突出部よりも突出量が大きい第２突出部が設けられ、
前記第２載置領域は、ディスクの記録部以外が載置される位置に前記第１突出部よりも突出量が大きい第３突出部が設けられる、
請求項１又は２に記載のトレー本体。
【請求項５】
自本体が２つに折り曲げられる位置に対して、前記第１係合部が設けられる方向における前記載置部以外の部分に把持部をさらに備える、
請求項１又は２に記載のトレー本体。
【請求項６】
自本体の外周にシールを貼り付け可能な1又は複数のインデックス部を設ける、
請求項1又は２に記載のトレー本体。
【発明の詳細な説明】
【技術分野】
【０００１】
本発明は、ディスクを保持するトレー本体に関する。より詳しくは、ディスクを容易に取り出すことのできるトレー本体に関する。
【背景技術】
【０００２】
従来、特許文献１には、ディスクの取り出しを容易にしたディスクケースが提案されている。
【０００３】
特許文献１のディスクケースは、２つに折り曲げ可能なトレー本体と、トレー本体に係合可能な蓋とを備えている。このトレー本体は、ディスクを載置する載置部が形成されており、この載置部の外周に係合部が形成されている。トレー本体は、載置部を２つに分割する位置で２つに折り曲げ可能に構成され、係合部が形成される側の載置領域が小さくなるように構成されている。
【０００４】
このように構成されたディスクケースは、コンパクトディスクが出し入れされる際、以下のように使用される。
【０００５】
利用者がこのディスクケースにコンパクトディスクを収納する際の使用方法を説明する。なお、以下の説明は、トレー本体に蓋が係合されていない状態からの説明である。まず、利用者は、トレー本体を折り曲げられた状態にし、コンパクトディスクを載置部（係合部が形成された側の載置部）に載置する。この際、利用者は、コンパクトディスクの孔と外周に指をかけたままで、コンパクトディスクを載置部に載置することができる。そして利用者は、コンパクトディスクが載置部に載置された状態で、折り曲げられた状態のトレー本体を、折り曲げられていない状態に変形させる。この後、利用者は、載置部に載置されたコンパクトディスクに蓋を被せ、蓋をトレー本体に係合させる。
【０００６】
次に、利用者がこのディスクケースからコンパクトディスクを取り出す際の使用方法を説明する。まず、利用者は、トレー本体に係合された蓋を外す。次に、利用者は、トレー本体を折り曲げた状態に変形させる。この際、ディスクは、係合部が形成された側の載置部に載置された状態となる。そして利用者は、ディスクを取り出す。ここで、利用者は、ディスクの孔と外周に指をかけて取り出すことができる。この後、利用者は、トレー本体を折り曲げられていない状態に戻し、トレー本体に蓋を係合する。
【０００７】
これによって、このディスクケースは、ディスクの取り出しを容易にしている。
【特許文献１】特開昭６０−１６７７９５号公報
【発明の開示】
【発明が解決しようとする課題】
【０００８】
ところで、特許文献１に記載のディスクケースを薄く構成しようとした場合、蓋をなくすことが考えられる。しかしながら、特許文献１に記載のトレー本体は、トレー本体自体にディスクを保持する部材を備えていないため、ディスクを収納したとしても簡単にトレー本体からディスクが外れてしまう。
【０００９】
そこで本発明は、ディスクの取り出しをより容易にし、部品点数を削減することができるトレー本体を提供することを目的とする。
【課題を解決するための手段】
【００１０】
本発明は、２つに折り曲げ可能に構成され、第１状態と、２つに折り曲げられた第２状態との間で、変形可能なトレー本体である。本発明のトレー本体は、ディスクが載置される載置部と、前記載置部に設けられる第１係合部と、前記載置部の中央に設けられる位置決め部と、前記載置部に設けられる第２係合部と、を備える。そしてトレー本体は、前記第１係合部と前記位置決め部の間で２つに折り曲げられる。また、前記第1係合部と第２係合部は、前記位置決め部を基準に対称をなす位置に設けられ、前記第１係合部は、前記第２状態でディスクを係合し、前記位置決め部は、ディスクが前記第１係合部に係合された状態で、前記第２状態から第１状態に変形されると、当該ディスクの孔に挿入され、前記第２係合部は、前記第１状態で、前記ディスクを係合する。
【００１１】
このようにすれば、ディスクの取り出しをより容易にでき、トレー本体の部品点数を削減できる。また、第１係合部と第２係合部を、位置決め部を基準に対称をなす位置に設けたので、第１状態でディスクをより確実に保持できるようになる。
【００１２】
本発明は、２つに折り曲げ可能に構成され、第１状態と、２つに折り曲げられた第２状態との間で、変形可能なトレー本体であって、ディスクが載置される載置部と、前記載置部に設けられる第１係合部と、前記載置部の中央に設けられる保持部と、を備える。そして自本体は、前記第１係合部と前記保持部の間で２つに折り曲げられ、前記第１係合部は、前記第２状態でディスクを係合し、前記保持部は、ディスクが前記第１係合部に係合された状態で、前記第２状態から第１状態に変形されると、当該ディスクを圧着して保持する。
【００１３】
このようにすれば、ディスクの取り出しをより容易にでき、トレー本体の部品点数を削減できる。
【００１４】
また、好ましくは、前記第１係合部は、前記載置部の中央方向を向く鉤形状で構成され、前記第１係合部は、前記第２状態で中央方向から挿入されたディスクを係合して保持する。
【００１５】
また、好ましくは、前記載置部は、自本体が２つに折り曲げられる位置を基準に、前記第１係合部が設けられる第１載置領域と、前記保持部が設けられる第２載置領域とを有してなり、前記第1載置領域は、ディスクの記録部が載置される位置に第１突出部が設けられ、ディスクの記録部以外が載置される位置に当該第１突出部よりも突出量が大きい第２突出部が設けられ、前記第２載置領域は、ディスクの記録部以外が載置される位置に前記第１突出部よりも突出量が大きい第３突出部が設けられる。
【００１６】
このようにすれば、利用者がディスクとトレー本体とを一緒に把持した場合であっても、ディスクの記録部が傷つくことを軽減できる。
【００１７】
また、好ましくは、自本体が２つに折り曲げられる位置に対して、前記第１係合部が設けられる方向における前記載置部以外の部分に把持部をさらに備える。
【００１８】
このようにすれば、利用者がディスクを把持することを軽減できる。
【００１９】
また、好ましくは、自本体の外周にシールを貼り付け可能な1又は複数のインデックス部を設ける。
【００２０】
なお、本発明のディスクは、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）などが考えられるがこれに限られない。すなわち、ディスクは中央に孔の開いたものであれば、どのようなものであってもかまわない。
【発明の効果】
【００２１】
すなわち、本発明によれば、ディスクの取り出しをより容易にし、部品点数を削減することができる。
【発明を実施するための最良の形態】
【００２２】
（実施の形態１）
以下、本発明の一実施の形態に係るトレー本体１を説明する。トレー本体１は、図８のようなトレー本体用ケース４に収納可能である。トレー本体用ケース４は、５つのトレー本体１を収納可能である。具体的に、トレー本体用ケース４は、内部に４つの仕切りが設けられており、この仕切りによって分割された空間に、各々のトレー本体１を収納可能である。
【００２３】
本実施の形態で用いられるディスクの各部の名称を、図４を用いて説明する。ディスクは、中央に孔が形成され、印刷面と、記録面と、を有している。記録面には、記録部が形成されている。
【００２４】
＜１．トレー本体の構成＞
トレー本体１は、プラスチックで構成されている。トレー本体１は、一体成型で各部が形成されている。具体的にトレー本体１は、図１、２のように、載置部１１、第１係合部１２、位置決め部１３、第２係合部１７、把持部１５及びインデックス部１６が形成される。そしてトレー本体１は、折り曲げ位置１４で２つに折り曲げ可能に構成されている。つまり、トレー本体１は、折り曲げられていない状態（図１）と、折り曲げ位置１４で折り曲げられた状態（図５は一例）との間で変形可能である。以下、各部を具体的に説明する。
【００２５】
載置部１１は、ディスクが載置される場所を形成している。載置部１１は、ディスクの記録部が傷つくことを軽減するため、第１突出部１１２１、第２突出部１１２２、第３突出部１１３２及び第４突出部１１３３が設けられている。第２突出部１１２２、第３突出部１１３２及び第４突出部１１３３は、トレー本体１が折り曲げられていない状態でディスクの記録部の傷つきを軽減するものであり、同じ突出量で載置部１１から突出されている。また、第１突出部１１２１は、トレー本体１が折り曲げ位置１４で折り曲げられた状態でディスクの記録部の傷つきを軽減するものであり、第２突出部１１２２等よりも少ない突出量で載置部１１から突出されている。なお、載置部１１は、折り曲げ位置１４を基準に、第１係合部１２が設けられる第１載置領域１１２と、位置決め部１３が設けられる第２載置領域１１３とを有している。第１載置領域１１２には、第１突出部１１２１及び第２突出部１１２２が設けられる。第２載置領域１１３には、第３突出部１１３２及び第４突出部１１３３が設けられる。
【００２６】
第１係合部１２は、載置部１１の外周に設けられる。具体的に第１係合部１２は、図３のように、載置部１１の中央方向を向く鉤形状で、載置部１１の外周に設けられる。第１係合部１２は、トレー本体１が折り曲げ位置１４で折り曲げられた状態で、ディスクが中央方向から挿入される（図６、７）。そして、第１係合部１２は、挿入されたディスクを係合して、このディスクを第１載置領域１１２に載置した状態で保持する（図７）。
【００２７】
位置決め部１３は、載置部１１の中央に設けられ、載置部１１に載置されたディスクの孔に挿入される。これによって位置決め部１３は、載置部１１に載置されるディスクの位置決めをできるようにしている。位置決め部１３は、第１係合部１２がディスクを保持している場合であって、トレー本体１が折り曲げ位置１４で折り曲げられた状態から、折り曲げていない状態に変形された場合、ディスクの孔に挿入されるものである。
【００２８】
第２係合部１７は、載置部１１の外周に設けられる。具体的に第２係合部１７は、載置部１１の外周に設けられた壁部に突起を設けたものである。第２係合部１７は、トレー本体２が折り曲げられていない状態で、ディスクを保持する。
【００２９】
なお、本実施の形態では、第１係合部１２と第２係合部１７が、位置決め部13を基準に対称をなす位置に設けられている。これによって、第１係合部と第２係合部で、ディスクをより確実に保持できるようにしている。なお、第１係合部１２と第２係合部１７は、少なくとも各々の一部が、位置決め部１３を基準に対称をなす位置に設けられればよい。
【００３０】
把持部１５は、折り曲げ位置１４に対して第１係合部１２が設けられる側の第１本体領域１４２に形成される。把持部１５は、第１本体領域１４２において、載置部１１以外の部分に形成される。把持部１５は、周りの領域に対して凹んだ領域を形成して、使用者による把持を可能にしている。これによって、利用者がトレー本体１を把持する際、ディスクを把持してしまって、ディスクの記録面を傷つけるといったことを軽減できる。なお、折り曲げ位置１４に対して位置決め部１３が設けられる側は、第２本体領域１４３と称する。載置部１１も同様に、折り曲げ位置１４に対して第１係合部１２が設けられる側を第１載置領域１１２と称し、位置決め部１３が設けられる側を第２載置領域１１３と称する。
【００３１】
インデックス部１６は、トレー本体１の外周に形成され、複数のカラーバリエーションを持つシール等を貼り付けて、トレー本体１の識別を容易にするものである。本実施の形態においてインデックス部１６は、トレー本体１から容易に取り外しできないように構成されている。これは、インデックス部１６がトレー本体１から容易に取り外されると、取り外し方によっては取り外し部分が鋭利になり、利用者に怪我をさせるおそれがあるからである。なお、インデックス部１６は、上記実施の形態に限られず、取り外しできるように形成してもかまわない。
【００３２】
なおトレー本体１は、上述したように、折り曲げられていない状態と、折り曲げ位置１４で折り曲げられた状態との間で変形可能である。ここでトレー本体１の第１本体領域１４２には、第１嵌合部１４２１が設けられており、第２本体領域１４３には、第２嵌合部１４２２が設けられている。これによって、トレー本体１は、折り曲げられていない状態で、第１嵌合部１４２１と第２嵌合部１４２２を嵌合させることができ、折り曲げていない状態を保持可能である。
【００３３】
＜２．実施の形態１と本発明の対応関係＞
トレー本体１は、トレー本体の一例である。載置部１１は、載置部の一例である。第１係合部１２は、第１係合部の一例である。位置決め部１３は、位置決め部の一例である。第２係合部１７は、第２係合部の一例である。把持部１５は、把持部の一例である。インデックス部１６は、インデックス部の一例である。
【００３４】
第１載置領域１１２は、第１載置領域の一例である。第２載置領域１１３は、第２載置領域の一例である。第１突出部１１２１は、第１突出部の一例である。第２突出部１１２２は、第２突出部の一例である。第３突出部１１３２は、第３突出部の一例である。
【００３５】
トレー本体が折り曲げられていない状態が、第１状態の一例である。トレー本体が折り曲げ位置１４で折り曲げられた状態が、第２状態の一例である。
＜３．トレー本体の使用方法＞
上述したトレー本体１の使用方法の一例を説明する。具体的にディスクを載置して保持させる方法と、保持されたディスクを取り出す方法を説明する。ここでトレー本体用ケース４には、ディスクの保持されていないトレー本体１が複数収納されているものとする。
【００３６】
まず、トレー本体１にディスクを載置して保持させる際、利用者は、トレー本体用ケース４からトレー本体１を一つ取り出す。利用者は、トレー本体１を折り曲げ位置１４で折り曲げる（図５）。この際、利用者は、把持部１５の何れかを親指と人指し指で把持することが好ましい。そして利用者は、第１載置領域１１２が、略水平になるように把持し、第１係合部１２に、ディスクを載置部１１の中央方向から挿入する。この際、第１係合部１２は、ディスクを係合し、ディスクを第１載置領域１１２に載置した状態で保持することができる。ここで利用者は、ディスクを第１係合部１２に挿入する際、ディスクの孔と外周に指をかけたままで、ディスクを第１載置領域１１２に載置することができる。そして、利用者は、ディスクを第１載置領域１１２に載置した状態で、折り曲げ位置１４で折り曲げられたトレー本体１を元に戻す。この際、位置決め部１３は、ディスクの孔に挿入される。そして、第２係合部は、ディスクを係合して保持する。
【００３７】
なお、利用者は、トレー本体１にディスクを載置して保持させる際、必要に応じて、トレー本体１にインデックスを設けることが可能である。本実施の形態では、インデックス部１６にシールを貼り付けることによって、トレー本体の識別を可能にしている。例えば、赤、青、黄色のカラーバリエーションを持ったシールをインデックス部１６に貼り付ければ、識別が容易になる。例えば、図８のように、インデックス部１６が見やすい場所に配置されるようトレー本体用ケース４が構成された場合、インデックス部１６を見ることで、トレー本体１に保持されているディスクを容易に判断できるようになる。
【００３８】
この後、利用者は、ディスクを保持したトレー本体１をトレー本体用ケース４に収納する。これによって、トレー本体用ケース４に対するディスクの収納が完了する。
【００３９】
次に、トレー本体１に保持されたディスクを取り出す際、利用者は、ディスクを保持したトレー本体１をトレー本体用ケース４から取り出す。利用者は、トレー本体１を折り曲げ位置１４で折り曲げる。この際、利用者は、トレー本体１が略水平になるように把持部１５を把持して、折り曲げ位置１４で折り曲げると好ましい。ここで、トレー本体１に保持されたディスクは、トレー本体１が折り曲げ位置１４で折り曲げられると、第１係合部１２がディスクを係合して、ディスクを第１載置領域１１２に載置した状態で保持する。そして、利用者は、ディスクを取り出す。ここで利用者は、ディスクの孔と外周に指をかけて取り出すことができる。この後、利用者は、トレー本体１を折り曲げられていない状態に戻し、トレー本体１をトレー本体用ケース４に収納する。
【００４０】
＜４．まとめ＞
トレー本体１は、２つに折り曲げ可能に構成され、折り曲げられていない状態と、２つに折り曲げられた状態との間で変形可能である。そしてトレー本体１は、ディスクが載置される載置部１１と、載置部１１の外周に設けられる第１係合部１２と、載置部１１の中央に設けられる位置決め部１３と、載置部１１の外周に設けられる第２係合部１７と、を備える。そしてトレー本体１は、第１係合部１２と位置決め部１３の間で２つに折り曲げられる。また、第1係合部１２と第２係合部１７は、位置決め部１３を基準に対称をなす位置に設けられ、第１係合部１２は、自本体が折り曲げられた状態でディスクを係合し、位置決め部１３は、ディスクが第１係合部１２に係合された状態で、折り曲げられた状態から折り曲げられていない状態に変形されると、ディスクの孔に挿入され、第２係合部１７は、折り曲げられていない状態で、ディスクを係合して保持する。
【００４１】
このようにすれば、ディスクの取り出しをより容易にでき、トレー本体の部品点数を削減できる。また、ディスクをより確実に保持できるようになる。
【００４２】
（実施の形態２）
実施の形態２のトレー本体１を、図９で説明する。実施の形態1と同様の部分については説明を省略する。実施の形態２は、実施の形態１と比べて、第２係合部がなく、位置決め部の代わりに保持部１８が設けられる点で異なる。つまり、載置部１１の中央に設けられる保持部１８が、ディスクを保持する。
【００４３】
＜１．トレー本体の構成＞
トレー本体１は、プラスチックで構成されている。トレー本体１は、一体成型で各部が形成されている。具体的にトレー本体１は、図９のように、載置部１１、第１係合部１２、保持部１８、把持部１５及びインデックス部１６が形成される。そしてトレー本体１は、折り曲げ位置１４で２つに折り曲げ可能に構成されている。以下、実施の形態２の各部を具体的に説明する。
【００４４】
保持部１８は、載置部１１の中央に設けられ、載置部１１に載置されたディスクを圧着して保持する。具体的に保持部１８は、ディスクの孔に挿入されて、ディスクの位置決めとディスクの保持をする機能を兼用している。保持部１８は、第１係合部１２がディスクを保持している場合であって、トレー本体１が折り曲げ位置１４で折り曲げられた状態から、折り曲げていない状態に変形された場合、ディスクの孔に挿入され、ディスクを圧着して保持する。
【００４５】
保持部１８の具体的な構成を図１０で説明する。保持部１８は、復元部１８１を備えている。復元部１８１は、ディスクに挿入される際、保持部の内側に押される。ここで復帰部は、元の形状に戻ろうとする力を有する。したがって、復元部１８１は、保持部１８がディスクの孔に挿入されると、ディスクを圧着する。これによって、保持部１８は、ディスクを保持することができる。図１０（Ａ）は、保持部がディスクの孔に挿入される前の状態を示す図であり、図１０（Ｂ）は、保持部がディスクの孔に挿入された状態を示す図である。
【００４６】
＜２．実施の形態２と本発明の対応関係＞
保持部１８は、保持部の一例である。把持部１５は、把持部の一例である。インデックス部１６は、インデックス部の一例である。
＜３．トレー本体の使用方法＞
上述したトレー本体１の使用方法の一例を説明する。具体的にトレー本体１にディスクを載置して保持させる方法と、トレー本体１に保持されたディスクを取り出す方法を説明する。ここでトレー本体用ケース４には、ディスクの保持されていないトレー本体１が複数収納されているものとする。
【００４７】
まず、ディスクを保持させる際、利用者は、トレー本体用ケース４からトレー本体１を一つ取り出す。利用者は、トレー本体１を折り曲げ位置１４で折り曲げる。この際、利用者は、把持部１５の何れかを親指と人指し指で把持することが好ましい。そして利用者は、第１載置領域１１２が、略水平になるように把持し、第１係合部１２に、ディスクを載置部１１の中央方向から挿入する。この際、第１係合部１２は、ディスクを係合し、ディスクを第１載置領域１１２に載置した状態で保持することができる。ここで利用者は、ディスクを第１係合部１２に挿入する際、ディスクの孔と外周に指をかけたままで、ディスクを第１載置領域１１２に載置することができる。そして、利用者は、ディスクを第１載置領域１１２に載置した状態で、折り曲げ位置１４で折り曲げられたトレー本体１を元に戻す。この際、保持部１８は、ディスクの孔に挿入され、圧着してディスクを保持する。
【００４８】
利用者は、ディスクを保持したトレー本体１をトレー本体用ケース４に収納する。これによって、トレー本体用ケース４に対するディスクの収納が完了する。
【００４９】
次に、ディスクを取り出す際、利用者は、ディスクを保持したトレー本体１をトレー本体用ケース４から取り出す。利用者は、トレー本体１を折り曲げ位置１４で折り曲げる。この際、利用者は、トレー本体１が略水平になるように把持部１５を把持して、折り曲げ位置１４で折り曲げると好ましい。ここで、トレー本体１に保持されたディスクは、トレー本体１が折り曲げ位置１４で折り曲げられると、第１係合部１２がディスクを係合して、ディスクを第１載置領域１１２に載置した状態で保持する。そして、利用者は、ディスクを取り出す。ここで利用者は、ディスクの孔と外周に指をかけて取り出すことができる。この後、利用者は、トレー本体１を折り曲げられていない状態に戻し、トレー本体１をトレー本体用ケース４に収納する。
【００５０】
＜４．まとめ＞
トレー本体１は、２つに折り曲げ可能に構成され、折り曲げられていない状態と、２つに折り曲げられた状態との間で変形可能である。そしてトレー本体１は、ディスクが載置される載置部１１と、載置部１１に設けられる第１係合部１２と、載置部１１の中央に設けられる保持部１８と、を備える。そしてトレー本体１は、第１係合部１２と保持部１８の間で２つに折り曲げられ、第１係合部１２は、自本体が折り曲げられた状態でディスクを係合し、保持部１８は、ディスクが第１係合部１２に係合された状態で、折り曲げられた状態から折り曲げられていない状態に変形されると、ディスクを圧着して保持する。
【００５１】
このようにすれば、ディスクの取り出しをより容易にでき、トレー本体の部品点数を削減できる。
【００５２】
（他の実施の形態）
本発明の実施の形態として、実施の形態１及び２を例示した。しかし、本発明は、実施の形態１及び２に限定されず、他の実施の形態においても実現可能である。そこで、本発明の他の実施の形態を以下にまとめて説明する。
【００５３】
実施の形態２では、保持部１８を図１０のように構成した。しかし、これに限られず、ディスクを圧着して保持するものであれば、どのような構成であってもよい。
【００５４】
また、実施の形態１及び２では、第１係合部１２を図３のように鉤状（又は、ひさし状）で構成した。しかし、これに限られず、第１係合部１２は、トレー本体１が折り曲げられた状態で、第１載置領域１１２に載置したディスクを係合して保持できるものであればよい。
【００５５】
すなわち、本発明は、上記実施の形態に限られず、種々の形態で実施可能である。
【００５６】
（本発明の経緯）
実施の形態２は、保持部１８をディスクの孔に挿入され圧着すると事でディスクを保持しているが、ディスク厚みとディスク保持部の厚み方向の空隙確保量が少なかった場合、且つトレー本体1に成形によるお椀状の反りが発生した場合、ディスク保持部18の位置が全体に変化し、ディスク中央部を支点としてディスク全体を変形させる可能性が多い。そのため、実施の形態1として、ディスクトレーのお椀状の反りが発生したとしても、ディスク中央部分を圧着保持しない為、ディスクへの影響を受けにくい構成をとった。
【００５７】
なお、この本発明の経緯は、本発明の困難性を示すために記載されたものである。したがって、この記載に基づいて請求項に記載の本発明が限定されるものではない。
【産業上の利用可能性】
【００５８】
本発明は、ＤＶＤ、ＢＤなどのディスクを保持可能なトレー本体に適用可能である。
【図面の簡単な説明】
【００５９】
【図１】実施の形態１に係るトレー本体の概略を示す斜視図
【図２】実施の形態１に係るトレー本体の正面図
【図３】図２のＡ−Ａ断面図
【図４】ディスクの各部の名称を説明するための図
【図５】実施の形態１に係る折り曲げられたトレー本体の概略を示す斜視図
【図６】図４のＡ−Ａ断面図
【図７】実施の形態１に係る折り曲げられたトレー本体に対するディスクの挿入を説明するための図
【図８】実施の形態１に係るディスクケースを示す模式図
【図９】実施の形態２に係るトレー本体の正面図
【図１０】実施の形態２に係る保持部１８の拡大図
【符号の説明】
【００６０】
1    トレー本体
１１    載置部
１１２    第１載置領域
１１２１    第１突出部
１１２２    第２突出部
１１３    第２載置領域
１１３２    第３突出部
１１３３    第４突出部
１２    係合部
１３    保持部
１４    折り曲げ位置
１４２    第１本体領域
１４３    第２本体領域
１４２１    第１嵌合部
１４３１    第２嵌合部
１５    把持部
１６    インデックス部
１７    第２係合部
１８    保持部
１８１    復元部
４    トレー本体用ケース
【図１】
2010132291.tif 000003
【図２】
2010132291.tif 000004
【図３】
2010132291.tif 000005
【図４】
2010132291.tif 000006
【図５】
2010132291.tif 000007
【図６】
2010132291.tif 000008
【図７】
2010132291.tif 000009
【図８】
2010132291.tif 000010
【図９】
2010132291.tif 000011
【図１０】
2010132291.tif 000012